(57)【要約】【課題】表示装置に表示されている被写体像の明るさが変化したときに、ユーザは、その変化が周辺環境の明るさに起因するのか、露出値の変更に起因するのか判断に迷うことがあった。【解決手段】上記課題を解決するために、撮像装置は、表示部と、周囲の明るさを検出する照度検出部と、照度検出部により検出された複数の照度情報を記憶する記憶部と、表示部における表示モードの切替え指示を受け付ける受付部と、受付部が切替え指示を受け付けたときに、記憶部に記憶されている複数の照度情報に基づいて表示部の輝度を決定する表示制御部とを備える。【選択図】図５
2012222407.tif 000002
【特許請求の範囲】
【請求項１】
表示部と、
周囲の明るさを検出する照度検出部と、
前記照度検出部により検出された複数の照度情報を記憶する記憶部と、
前記表示部における表示モードの切替え指示を受け付ける受付部と、
前記受付部が前記切替え指示を受け付けたときに、前記記憶部に記憶されている前記複数の照度情報に基づいて前記表示部の輝度を決定する表示制御部と
を備える撮像装置。
【請求項２】
前記表示制御部は、次に前記表示モードを切り替えるまでは、前記輝度を一定とする請求項１に記載の撮像装置。
【請求項３】
前記表示制御部は、前記受付部が、前記表示モードの切替え指示として、非表示状態であるオフモードから表示状態であるオンモードへ切り替える切替え指示を受け付けたときに前記輝度を決定する請求項１または２に記載の撮像装置。
【請求項４】
前記表示制御部は、前記受付部が、前記表示モードの切替え指示として、画像データを再生する再生モードまたはメニュー項目を表示するメニューモードから被写体像のスルー画を表示する撮影モードへ切り替える切替え指示を受け付けたときに前記輝度を決定する請求項１から３のいずれか１項に記載の撮像装置。
【請求項５】
前記表示制御部は、前記再生モードおよび前記メニューモードの少なくともいずれかの場合は、前記記憶部に記憶された前記複数の照度情報に依らず、前記照度検出部が定期的に検出する照度情報に基づいて、前記輝度を逐次変更する請求項４に記載の撮像装置。
【請求項６】
前記記憶部に記憶される前記複数の照度情報の検出間隔は、前記再生モードまたは前記メニューモードの場合における検出間隔よりも長い請求項５に記載の撮像装置。
【請求項７】
前記表示制御部は、一度の撮影シーケンスが終了するまでは、前記輝度を一定とする請求項１から６のいずれか１項に記載の撮像装置。
【請求項８】
前記撮像装置の電源がオンされた後に前記記憶部に記憶された前記複数の照度情報が、予め定められた数に満たない場合は、前記表示制御部は、前記電源がオンされるよりも前から記憶されている照度情報を加味して前記輝度を決定する請求項１から７のいずれか１項に記載の撮像装置。
【請求項９】
前記表示制御部は、前記電源がオンされるよりも前から記憶されている照度情報を加味して前記輝度を決定する場合は、前記電源がオンされた後に前記記憶部に記憶された前記複数の照度情報の重み付けを高くして前記輝度を決定する請求項８に記載の撮像装置。
【請求項１０】
前記表示制御部は、前記電源の前回のオフから予め定められた時間が経過している場合には、前記電源がオンされるよりも前から記憶されている照度情報を加味しない請求項８または９に記載の撮像装置。
【請求項１１】
前記電源がオンされるよりも前から記憶されている照度情報は、前記電源が前回オフにされるタイミングで記憶された照度情報を含む請求項８から１０のいずれか１項に記載の撮像装置。
【発明の詳細な説明】
【技術分野】
【０００１】
本発明は、撮像装置に関する。
【背景技術】
【０００２】
表示装置の観察画面と周辺環境の明るさの落差によりユーザが感じる不快感を緩和すべく、周辺環境の照度をセンサで取得して、表示装置の光源の輝度を変化させる技術が知られている。
［先行技術文献］
［特許文献］
［特許文献１］特開２００４−２６４６６８号公報
［特許文献２］特開２００９−２０４９２０号公報
【発明の概要】
【発明が解決しようとする課題】
【０００３】
カメラに備え付けられた表示装置で被写体像を表示する場合、例えば、被写体像を逐次表示するスルー画表示を行うような場合において、表示されている被写体像の明るさが変化したときに、ユーザは、その変化が周辺環境の明るさに起因するのか、露出値の変更に起因するのか判断に迷うことがあった。
【課題を解決するための手段】
【０００４】
上記課題を解決するために、本発明の撮像装置における一つの態様においては、表示部と、周囲の明るさを検出する照度検出部と、照度検出部により検出された複数の照度情報を記憶する記憶部と、表示部における表示モードの切替え指示を受け付ける受付部と、受付部が切替え指示を受け付けたときに、記憶部に記憶されている複数の照度情報に基づいて表示部の輝度を決定する表示制御部とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係るカメラのシステム構成図である。
【図２】動画撮影中に被写体像を表示する様子を示すカメラの背面図である。
【図３】照度テーブルのデータ形式を説明する説明図である。
【図４】表示制御に関する動作を説明するフロー図である。
【図５】輝度演算の処理を説明するフロー図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係るカメラ１０のシステム構成図である。カメラ１０は、システム制御部１１を備え、カメラ１０を構成する各要素を直接的または間接的に制御する。システム制御部１１は、システムメモリ１２と通信する。システムメモリ１２は、電気的に消去・記録可能な不揮発性メモリであり、例えばＥＥＰＲＯＭ（登録商標）等により構成される。システムメモリ１２は、カメラ１０の動作時に必要な定数、変数、設定値、プログラム等を、カメラ１０の非動作時にも失われないように記録している。特に、ユーザが設定する各種設定値は、カメラ１０のメニュー項目として、種類に応じて複数に分類され、ユーザに提示するメニュー画面と共に管理されている。
【０００９】
カメラ１０は、光学系２０を備える。光学系２０は、主にズームレンズ、フォーカスレンズ、手振れ補正レンズを含むレンズ群２１、および、レンズシャッタ２２により構成される。被写体像は光軸に沿って光学系２０に入射し、撮像素子３１の結像面に結像する。
【００１０】
撮像素子３１は、光学系２０を透過して入射する被写体像である光学像を光電変換する素子であり、例えば、ＣＣＤ、ＣＭＯＳセンサが用いられる。撮像素子３１で光電変換された被写体像は、Ａ／Ｄ変換器３２でアナログ信号からデジタル信号に変換される。
【００１１】
デジタル信号に変換された被写体像は、画像データとして順次処理される。Ａ／Ｄ変換器３２によりデジタル信号に変換された画像データは、メモリ制御部３３の制御に従い、一旦内部メモリ３４に記憶される。内部メモリ３４は、高速で読み書きのできるランダムアクセスメモリであり、例えばＤＲＡＭ、ＳＲＡＭなどが用いられる。内部メモリ３４は、連写撮影、動画撮影において高速に連続して画像データが生成される場合に、画像処理の順番を待つバッファメモリとしての役割を担う。また、画像処理部３５が行う画像処理、圧縮処理において、ワークメモリとしての役割も担うと共に、所定の目的に即して加工処理された画像データを一時的に保管する役割も担う。更に、システムメモリ１２に記録されている定数、変数、設定値、プログラム等が適宜展開されて、カメラ１０の制御に利用される。したがって、内部メモリ３４は、これらの役割を担うに相当する十分なメモリ容量を備える。メモリ制御部３３は、いかなる作業にどれくらいのメモリ容量を割り当てるかを制御する。
【００１２】
画像処理部３５は、設定されている撮影モード、ユーザからの指示に則して、画像データを所定の画像フォーマットに従った画像ファイルに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。
【００１３】
画像処理部３５によって処理された静止画像ファイル、動画像ファイルは、メモリ制御部３３の制御により、内部メモリ３４から記録媒体ＩＦ３８を介して、記録媒体５０に記録される。記録媒体５０は、フラッシュメモリ等により構成される、カメラ１０に対して着脱可能な不揮発性メモリである。ただし、記録媒体５０は、着脱式に限らず、カメラ１０に内蔵される例えばＳＳＤなどの記録媒体であっても良い。このとき、記録媒体５０に記録された静止画像ファイル、動画像ファイルは、有線によるＵＳＢ、無線によるＬＡＮ等により外部へ出力される。
【００１４】
画像処理部３５で処理された画像データは、記録用に処理される画像データに並行して、表示用画像データを生成する。通常の表示用画像データは、記録用に処理される画像データをコピーして間引き処理された、画素数の少ない画像データである。つまり、記録用に処理される画像データに従って生成される通常の表示用画像データは、記録用の画像データと同様のカラー情報であるＲＧＢ情報を有する。このように生成された表示用画像データは、表示制御部３６により、赤色信号であるＲ信号、緑色信号であるＧ信号および青色信号であるＢ信号に変換されて表示部３７へ出力される。また、同時に、表示制御部３６は表示部３７のバックライトの輝度を調整する輝度調整信号を出力する。
【００１５】
表示部３７は、ＬＣＤパネルとバックライトを備える液晶ディスプレイユニットである。表示部３７は、表示制御部３６が出力するＲＧＢ信号および輝度調整信号を受け取り、ＬＣＤパネルの各画素でＲＧＢ信号の階調を生成しつつ、バックライトの輝度を調整することにより、表示用画像データをユーザに視認されるように表示する。
【００１６】
記録の有無に関わらず、画像処理部３５が撮像素子３１の出力に従って逐次表示用画像データを生成して表示部３７へ出力すれば、スルー画としてのライブビュー表示を実現することができる。したがって、表示部３７は、静止画および動画撮影後の再生表示、撮影前および動画撮影中のライブビュー表示を実現することができる。
【００１７】
また、表示制御部３６は、表示する画像データに付随する情報、および、システムメモリ１２に記録されたメニュー画面等も、表示部３７に単独で、あるいは表示画像に重畳して表示させることもできる。また、表示制御部３６は、操作部材３９の操作により非表示の指示がなされた場合には、表示部３７による表示を禁止する。
【００１８】
カメラ１０は、ユーザからの操作を受け付ける操作部材３９を複数備えているが、システム制御部１１は、これら操作部材３９が操作されたことを検知し、操作に応じた動作を実行する。また、カメラ１０は操作部材３９の類としてレリーズスイッチ４０を備える。レリーズスイッチ４０は、押下げ方向に２段階に検知できる押しボタンで構成されており、システム制御部１１は、１段階目の押下げであるＳＷ１の検知により撮影準備動作であるＡＦ、ＡＥ等を実行し、２段階目の押下げであるＳＷ２の検知により撮像素子３１による被写体像の取得動作を実行する。
【００１９】
照度センサ４１は、ユーザが表示部３７を観察する観察環境としての外界の明るさを検出する。表示制御部３６は、システム制御部１１を介して照度センサ４１の検出結果とユーザ設定を取得し、取得結果に応じて表示制御を変更する。具体的な変更処理については後述する。
【００２０】
ズームレンズ、フォーカスレンズ、手振れ補正レンズはレンズ制御部４２により制御されて、被写体像の画角を変更し、被写体像の特定領域を撮像素子３１の受光面上で合焦させ、手ぶれを打ち消して撮像素子３１の受光面上で安定した結像状態を維持する。レンズシャッタ２２は、露光制御部４３により制御されて、設定された絞り値およびシャッタ速度を実現する。
【００２１】
図２は、動画撮影中に被写体像を表示する様子を示すカメラの背面図である。カメラ１０の背面には、カメラ１０の背面には、表示部３７の他に、操作部材３９としての、ズームを指示するシーソースイッチ５１、メニュー項目を選択する十字キー５２、選択した項目を確定させる確定ボタン５３、モードを切替えるモード切替えボタン５４、表示部３７における表示のＯＮ／ＯＦＦを切替えるディスプレイボタン５５、メニュー項目を表示させるメニューボタン５６、カメラ１０の電源ＯＮ／ＯＦＦを切替える電源ボタン５７を備える。
【００２２】
また、照度センサ４１が、表示部３７の近傍に配設されている。更に、表示部３７の上部には、光学ファインダ６０が設けられている。光学ファインダ６０は、被写体像を光学像として観察できる。したがって、ユーザは、表示部３７によるライブビュー表示を実行しなくても被写体像を観察できるので、電力の消耗を避けることができる。
【００２３】
図において表示部３７には、動画撮影中に被写体像を表示するライブビュー表示の様子が示されている。表示制御部３６は、動画撮影中であることを示す「ＲＥＣ」の文字情報およびアイコンを被写体像に重畳させると共に、バックライトの輝度が固定であることを示すメッセージを重畳させる。バックライトの輝度調整については後述する。
【００２４】
図３は、照度値のデータを保存する照度テーブルのデータ形式を説明する説明図である。本実施形態においては、表示制御部３６が、表示部３７のバックライトの輝度を、表示部３７の周辺環境における明るさを検出する照度センサ４１の出力に応じて調整する。ただし、照度センサ４１の出力を逐次反映させるのではなく、状況に応じて、システムメモリ１２に記憶されている照度テーブルのデータを用いて輝度を調整する。
【００２５】
カメラ１０は、被写体の測光結果に基づいて、更にはユーザによる露出補正指示に基づいて、露出値を決定する。露光制御部４３は、決定された露出値によりレンズシャッタ２２を駆動する。したがって、測光結果が変化したり、ユーザの指示により露出補正を実行したりする場合には、静止画撮影の構図調整中および動画撮影中におけるライブビュー表示の被写体像に明暗の変化が現れる。ユーザは、ライブビュー表示の被写体像を視認しながら、好みの露出値が実現されているかを確認する。
【００２６】
一方で、表示制御部３６が、照度センサ４１の出力を逐次反映させて表示部３７のバックライトの輝度を変更してしまうと、ユーザは、表示部３７に映し出される被写体像の明暗の変化が、露出値の変更に伴うものか、周辺環境の明るさの変化に伴うものか判断に迷うことがあった。露出値の変更に伴うのであれば、その明暗の変化は撮影されて記録される画像にも表れることになるが、周辺環境の明るさの変化に伴うものであれば、記録画像に対しては影響が無い。
【００２７】
そこで、本実施形態においては、撮影モードにおけるライブビュー表示中は、照度センサ４１の出力を逐次反映させず、バックライトの輝度を一定に保つ。また、表示制御部３６は、単に表示開始時の照度センサ４１の出力を利用するのではなく、システムメモリ１２に記憶されている照度テーブルのデータを用いて輝度を一定に調整する。
【００２８】
図２で示すように、照度センサ４１は、表示部３７の近傍に配設されるが、表示部３７の近傍は、同時にユーザの把持部近傍でもあり、照度センサ４１は、ユーザの指に隠され易い。ユーザの指に隠れた照度センサ４１による出力をそのまま利用すると、表示制御部３６は、周辺環境が暗いと判断してバックライトの輝度を高くする調整をしてしまう。そこで、システム制御部１１は、一定の時間間隔で照度センサ４１の出力を取得して算出した照度値を照度テーブルとして記憶し、表示制御部３６は、撮影モードにおけるライブビュー表示の開始時に、この照度テーブルに基づいてバックライトの輝度値を決定する。このように、照度テーブルに基づいてバックライトの輝度値を決定することにより、たとえある時点において照度センサ４１がユーザの指に隠されていたとしても、ユーザにとってより視認しやすい明るさで被写体像を表示することができる。
【００２９】
図に示すように、照度テーブルは、カレントテーブルとパストテーブルの２つが用意される。カレントテーブルには、カメラ１０の電源がオンにされた後に算出された照度値が格納されている。一方、パストテーブルには、前回の使用時における照度値が格納されている。それぞれの照度テーブルは、例えば４つの照度値をその取得時刻と共に格納できるように構成されている。また、照度値は、一定の時間間隔により新たな値が算出されるので、取得時刻が古いものから消去されて新しい値に書き換えられる。
【００３０】
したがって、電源オンの直後であれば、カレントテーブルにおける全てのＩＤに対応する照度値がまだ揃っていない状況があり得る。また、パストテーブルに格納されたそれぞれの照度値は、前回の使用時において電源がオフにされた時間付近で算出された値である。特に、このうちの一つは、電源オフの指示と共に取得された照度センサ４１の出力から算出された照度値である。現在の使用状態において電源がオフにされると、システム制御部１１は、カレントテーブルの各値をパストテーブルに移動し、カレントテーブルをリセットする。
【００３１】
次に、この照度テーブルを利用した、具体的な表示制御について説明する。図４は、表示制御に関する動作を説明するフロー図である。図のフローは、電源ボタン５７が押されて、カメラ１０の電源がオンとなる時点から開始する。
【００３２】
システム制御部１１は、電源がオンにされるとまずステップＳ１０１で、現在のモードが撮影モードか否かを判断する。撮影モードと判断したらステップＳ１０２へ進み、再生モードまたはメニューモードのいずれかと判断したらステップＳ１１３へ進む。なお、ユーザは、撮影モードと再生モードの切り替えを、モード切替えボタン５４を押下げることにより指示する。メニュー項目の表示は、メニューボタン５６を押下げることにより指示する。
【００３３】
システム制御部１１は、ステップＳ１０２で、照度センサ４１の出力を得て環境照度を取得する。すなわち、カレントテーブルに現在の照度値と取得時刻を書き込む。そして、ステップＳ１０３へ進み、タイマー変数ｔにより計時をスタートさせる。
【００３４】
タイマーをスタートさせると、システム制御部１１はまず、ステップＳ１０４で、表示部３７の表示がオンにされているか否かを判断する。なお、ユーザは、表示のオンオフ切り替えを、ディスプレイボタン５５を押下げることにより指示する。
【００３５】
したがって、カメラ１０の表示モードとしては、撮影モードにおける表示オンおよび表示オフ、再生／メニューモードにおける表示オンの少なくとも３つが存在することになる。また、撮影モードの表示オンにおいては、一度の撮影シーケンスごとに、撮影直後の確認表示、記録処理中表示などが行われることを鑑みて、それぞれの撮影シーケンスに対する表示制御を一つの表示モードと規定しても良い。
【００３６】
ステップＳ１０４で、表示部３７の表示がオンにされていないと判断すると、システム制御部１１は、ステップＳ１０５で、再生／メニューモードへの切り替え指示がなされたか否かを判断する。切り替え指示がなされていなければ、ステップＳ１０６へ進み、更に電源オフの指示がなされたか否かを判断する。電源オフの指示がなされていなければ、ステップＳ１０７へ進む。
【００３７】
ステップＳ１０７でシステム制御部１１は、タイマー変数ｔが予め設定された時間間隔ｔ１を超えたか否かを判断する。超えていなければステップＳ１０４へ戻り、ステップＳ１０４からステップＳ１０７の監視を継続する。なお、この間に表示部３７の表示を実行することなく撮影シーケンスを実行する場合もあり得る。
【００３８】
システム制御部１１は、ステップＳ１０７で、タイマー変数ｔがｔ１を超えたと判断したらステップＳ１０２へ戻って、再び環境照度を取得する。システム制御部１１は、算出した照度値を取得時刻と共に、新たな値としてカレントテーブルに追加する。このようにして、時間間隔ｔ１ごとに新たな環境照度が順次取得されて、カレントテーブルが更新されていく。図３に示したカレントテーブルの例によれば、４つの環境照度を蓄積しつつ、それ以上の環境照度が取得されれば古い値から削除して上書きしていく。
【００３９】
システム制御部１１が、ステップＳ１０４で表示部３７の表示がオンにされていると判断すると、ステップＳ１０８へ進み、表示制御部３６が、システムメモリ１２に記憶されている照度テーブルを用いてバックライトの輝度値を演算する。具体的な演算処理については後述する。輝度値の演算が完了すると、ステップＳ１０９へ進み、表示制御部３６は、演算した輝度値を適用して表示部３７のバックライトを調整し、ライブビュー表示を実行する。その後バックライトの輝度を調整することなくライブビュー表示を継続する。
【００４０】
システム制御部１１は、ステップＳ１１０で、一連の撮影シーケンスが終了したか否かを判断する。なお、一連の撮影シーケンスもシステム制御部１１が主体的に実行する。例えば、静止画撮影における一連の撮影シーケンスにおいてシステム制御部１１は、レリーズスイッチ４０のＳＷ１を検知してＡＦ、ＡＥ等の撮影準備動作を実行し、ＳＷ２を検知して撮像素子３１による被写体像の取得動作を実行する。更にシステム制御部１１は、画像処理部３５により例えばＪＰＥＧファイルを生成させ、内部メモリ３４から記録媒体ＩＦ３８を介して、記録媒体５０に記録する。
【００４１】
システム制御部１１は、ステップＳ１１０で、一連の撮影シーケンスを終了したと判断したら、再びステップＳ１０２へ戻る。そして、再度環境照度を取得する。つまり、１回の撮影シーケンスが終了したら、環境照度を取得し直してバックライトの輝度を再度調整し、次の撮影の指示を待つ。なお、撮影モードが選択されている間は、一旦表示部３７の表示が開始されたら、同じ輝度値でバックライトの明るさを維持しても良い。
【００４２】
システム制御部１１は、ステップＳ１１０で、一連の撮影シーケンスがまだ終了していないと判断したら、ステップＳ１１１へ進み、再生／メニューモードへの切り替え指示がなされたか否かを判断する。切り替え指示がなされていなければ、ステップＳ１１２へ進み、更に電源オフの指示がなされたか否かを判断する。電源オフの指示がなされていなければ、ステップＳ１１０へ戻り撮影指示を待つ。
【００４３】
ステップＳ１０１で再生モードまたはメニューモードのいずれかと判断した場合、ステップＳ１０５またはステップＳ１１１で再生モードまたはメニューモードへの切り替えが指示された場合は、ステップＳ１１３へ進む。システム制御部１１は、ステップＳ１１３で、照度センサ４１の出力を得て環境照度を取得する。そして、カレントテーブルに算出した照度値と取得時刻を書き込む。
【００４４】
システム制御部１１がステップＳ１１３で環境照度を取得すると、表示制御部３６は、ステップＳ１１４で、この環境照度から演算した輝度値を適用して表示部３７のバックライトを調整し、再生表示またはメニュー表示を実行する。すなわち、照度テーブルを用いることなく、直前の照度センサ４１の出力をそのまま適用する。続いて、システム制御部１１は、ステップＳ１１５へ進み、タイマー変数ｔにより計時をスタートさせる。
【００４５】
システム制御部１１は、ステップＳ１１６で、撮影モードへの切り替え指示がなされたか否かを判断する。切り替え指示がなされていればステップＳ１０２へ進み、なされていなければステップＳ１１７へ進む。ステップＳ１１７では、更に電源オフの指示がなされたか否かを判断する。電源オフの指示がなされていなければ、ステップＳ１１８へ進む。
【００４６】
ステップＳ１１８でシステム制御部１１は、タイマー変数ｔが予め設定された時間間隔ｔ２を超えたか否かを判断する。超えていなければステップＳ１１６へ戻り、ステップＳ１１６からステップＳ１１８の監視を継続する。なお、この間においてシステム制御部１１は並行して、再生モードであれば表示制御部３６を用いて指定された画像を再生表示し、メニューモードであれば、操作部材３９の入力を受け付けてユーザからの指示を実行する。
【００４７】
システム制御部１１は、ステップＳ１１８で、タイマー変数ｔがｔ２を超えたと判断したらステップＳ１１３へ戻って、再び環境照度を取得する。再生／メニューモードにおいては、このようにして、時間間隔ｔ２ごとに新たな環境照度が取得されてバックライトの輝度が逐次更新される。なお、撮影モードにおいて照度テーブルを利用してバックライトの輝度を調整する場合は、照度センサ４１への突発的な指掛かりの影響を軽減すべく、時間間隔ｔ１が比較的長く設定されている。一方、再生／メニューモードにおいて照度センサ４１の出力を逐次反映させる調整を行う場合は、リアルタイムで環境照度の変化に対応すべく、時間間隔ｔ２が比較的短く設定されている。すなわち、ｔ１＞ｔ２の関係を有する。
【００４８】
ステップＳ１０６、ステップＳ１１２、ステップＳ１１７で電源オフが指示されたと判断したら、ステップＳ１１９へ進み、システム制御部１１は、更に環境照度を取得する。そして、上述のように、システム制御部１１は、カレントテーブルの各値をパストテーブルに移動し、カレントテーブルをリセットした上で、ここで取得した環境照度に対する照度値と取得時刻を、パストテーブルの最も古いＩＤに上書きする。そして、電源をオフにして一連の処理フローを終了する。
【００４９】
図５は、図４のステップＳ１０８の輝度演算処理を詳細に説明するフロー図である。上述のように、電源オンから一定時間が経過しなければ、カレントテーブルにおける全てのＩＤに対応する照度値が揃わない。そこで、ステップＳ２０１で表示制御部３６は、システムメモリ１２に記憶されているカレントテーブルを読み出し、カレントテーブルに記述された環境情報取得数が規定値ｎ０に達しているか否かを確認する。規定値ｎ０は、例えば図３のカレントテーブルによれば、格納数（＝４）と同数と定義することができる。もちろん、格納数未満に定義しても良い。
【００５０】
表示制御部３６は、規定値ｎ０に達していればステップＳ２０２へ進み、ｎ０個分の照度値を平均化した値を算出し、これにより表示部３７のバックライトの輝度値を決定する（ステップＳ２０３）。輝度値を決定したらステップＳ１０９へ進む。
【００５１】
ステップＳ２０１で規定値ｎ０に達していなければ、表示制御部３６は、ステップＳ２０４へ進み、システムメモリ１２に記憶されているパストテーブルを読み出す。さらにステップＳ２０５へ進み、現在時刻を取得する。
【００５２】
そして、ステップＳ２０６で、表示制御部３６は、これらの情報を用いて照度値を加重平均処理により算出する。加重平均処理は、具体的には、以下のように行う。まず、ステップＳ１１９の処理により、前回の電源オフ時に環境照度を取得してパストテーブルにその照度値と取得時刻を追記しているので、この取得時刻と現在時刻を比較して、前回のオフ時からの経過時間が予め設定された時間Ｔ０を超えていないかを確認する。そして、超えていればパストテーブルの照度値を参照せず、カレントテーブルのうち算出できた照度値のみを用いて平均処理を行う。
【００５３】
一方、超えていなければパストテーブルの照度値を加味する。すなわち、今回のカメラ１０の使用環境が前回の使用環境に近いと推測される場合であるとして、前回の使用時に取得された照度値を参照する。したがって、時間Ｔ０は、この推測が成立すると考えられる程度の時間が設定される。
【００５４】
パストテーブルの照度値を参照する場合は、それぞれの照度値に対して対応する取得時刻から算出される経過時間に従って、０から１の間で重み付け係数を付与する。その上で、カレントテーブルに既に記述されている規定値ｎ０未満の照度値と合わせて加重平均処理を行う。つまり、カレントテーブルにある照度値を、パストテーブルにある照度値に対して相対的に重み付けを高くして加重平均処理を行う。表示制御部３６は、このように算出された値により表示部３７のバックライトの輝度値を決定する（ステップＳ２０７）。輝度値を決定したらステップＳ１０９へ進む。
【００５５】
なお、パストテーブルおよびカレントテーブルに含まれる照度値のうち、異常値を示す値を除外する処理を行っても良い。例えば、ある照度値が前後の照度値に対して閾値以上に小さいまたは大きい場合に異常値と判別できる。また、一般的に、表示部３７のバックライトが暗いよりも明るいほうが視認性が高いので、パストテーブルおよびカレントテーブルのいずれに関わらず、明るい照度値ほど重み付けを高くしても良い。なお、以上の重み付けについては、重み付け係数として０を付与することにより、特定の照度値の加味を回避することもできる。
【００５６】
以上、図４および図５のフローで説明したように、表示制御部３６は、システム制御部１１が表示モードの切り替え指示を受け付けたときに、システムメモリ１２に記憶されている照度テーブルを読み出して表示部３７のバックライトの輝度を決定する。そして、少なくとも撮影モードの一度の撮影シーケンス中におけるライブビュー表示では、その輝度を変更しない。一方、再生／メニューモードにおける表示中は、環境照度に応じて逐次バックライトの輝度を変更する。もちろん、再生モードおよびメニューモードの少なくとも一方についても、照度テーブルを参照してバックライトの輝度を調整しても良い。
【００５７】
上記の実施形態においては、表示部３７は液晶ディスプレイユニットとして説明したが、液晶でなく有機ＥＬなどの自発光型表示ユニットを適用することもできる。この場合、バックライトを調整するのではなく各画素の輝度を調整すれば良い。
【００５８】
上記実施形態においては、撮像装置の例としてコンパクトデジタルカメラであるカメラ１０を用いて説明したが、他の形式のカメラであっても良い。具体的には、レンズ交換式一眼レフカメラ、ミラーレス一眼カメラ、ビデオカメラ、カメラ付き携帯電話等に適用できる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６１】
１０  カメラ、１１  システム制御部、１２  システムメモリ、２０  光学系、２１  レンズ群、２２  レンズシャッタ、３１  撮像素子、３２  Ａ／Ｄ変換器、３３  メモリ制御部、３４  内部メモリ、３５  画像処理部、３６  表示制御部、３７  表示部、３８  記録媒体ＩＦ、３９  操作部材、４０  レリーズスイッチ、４１  照度センサ、４２  レンズ制御部、４３  露光制御部、５０  記録媒体、５１  シーソースイッチ、５２  十字キー、５３  確定ボタン、５４  モード切替えボタン、５５  ディスプレイボタン、５６  メニューボタン、５７  電源ボタン、６０  光学ファインダ
【図１】
2012222407.tif 000003
【図２】
2012222407.tif 000004
【図３】
2012222407.tif 000005
【図４】
2012222407.tif 000006
【図５】
2012222407.tif 000007